(57)【要約】【課題】使用を重ねてもスリット端部から発生する亀裂が広がらず、長期間にわたって使用を続けることができる耐久性の優れた内視鏡の鉗子栓を提供すること。【解決手段】閉鎖膜２６の表面側からスリット２７に処置具等５０が押し込まれた時に閉鎖膜２６が弾性変形して裏面側に膨らむための空間が、閉鎖膜２６の裏面から離れた奥側の位置に配置されている非変形部２５との間に形成された内視鏡の鉗子栓において、処置具等５０が閉鎖膜２６の表面側からスリット２７に押し込まれて閉鎖膜２６が裏面側に膨らんだ状態に弾性変形した時に非変形部２５に当接する土手状部２８を、閉鎖膜２６の裏面部分のスリット２７の延長位置に突出形成した。【選択図】      図１
2005080867.tif 000002
【特許請求の範囲】
【請求項１】
処置具等によって押し開かれるスリットが形成された弾力性のある部材からなる閉鎖膜を有し、上記閉鎖膜の表面側から上記スリットに上記処置具等が押し込まれた時に上記閉鎖膜が弾性変形して裏面側に膨らむための空間が、上記閉鎖膜の裏面から離れた奥側の位置に配置されている非変形部との間に形成された内視鏡の鉗子栓において、
上記処置具等が上記閉鎖膜の表面側から上記スリットに押し込まれて上記閉鎖膜が裏面側に膨らんだ状態に弾性変形した時に上記非変形部に当接する土手状部を、上記閉鎖膜の裏面部分の上記スリットの延長位置に突出形成したことを特徴とする内視鏡の鉗子栓。
【請求項２】
上記土手状部が、上記スリットの両端部を各々Ｕ字状に囲む状態に突出形成されている請求項１記載の内視鏡の鉗子栓。
【請求項３】
上記土手状部が、上記スリットを全体的に囲む状態に突出形成されている請求項１記載の内視鏡の鉗子栓。
【発明の詳細な説明】
【技術分野】
【０００１】
この発明は内視鏡の鉗子栓に関する。
【背景技術】
【０００２】
内視鏡の鉗子栓は一般に、処置具等によって押し開かれるスリットが形成された弾力性のある部材からなる閉鎖膜を有していて、その閉鎖膜の裏側には、処置具等が閉鎖膜の表面側からスリットに押し込まれた時に閉鎖膜が弾性変形して裏面側に膨らむための空間が形成されている（例えば、特許文献１）。
【特許文献１】特開２００１−２７５９４６、図１等
【発明の開示】
【発明が解決しようとする課題】
【０００３】
内視鏡の鉗子栓の閉鎖膜は、処置具等がスリットに押し込まれる度に弾性変形して裏側に膨らむ動作を繰り返すので、使用を重ねているうちにスリットの端部から外方に亀裂が発生し、亀裂が大きくなると鉗子栓として使用できないレベルまで気密性が低下してしまう場合がある。
【０００４】
そこで本発明は、使用を重ねてもスリット端部から発生する亀裂が広がらず、長期間にわたって使用を続けることができる耐久性の優れた内視鏡の鉗子栓を提供することを目的とする。
【課題を解決するための手段】
【０００５】
上記の目的を達成するため、本発明の内視鏡の鉗子栓は、処置具等によって押し開かれるスリットが形成された弾力性のある部材からなる閉鎖膜を有し、閉鎖膜の表面側からスリットに処置具等が押し込まれた時に閉鎖膜が弾性変形して裏面側に膨らむための空間が、閉鎖膜の裏面から離れた奥側の位置に配置されている非変形部との間に形成された内視鏡の鉗子栓において、処置具等が閉鎖膜の表面側からスリットに押し込まれて閉鎖膜が裏面側に膨らんだ状態に弾性変形した時に非変形部に当接する土手状部を、閉鎖膜の裏面部分のスリットの延長位置に突出形成したものである。
【０００６】
なお、土手状部が、スリットの両端部を各々Ｕ字状に囲む状態に突出形成されていてもよく、或いはスリットを全体的に囲む状態に突出形成されていてもよい。
【発明の効果】
【０００７】
本発明によれば、処置具等が閉鎖膜の表面側からスリットに押し込まれて閉鎖膜が裏面側に膨らんだ状態に弾性変形すると、閉鎖膜の裏面部分に突出形成された土手状部が閉鎖膜の裏面から離れた奥側の位置に配置されている非変形部に当接して、それ以上の閉鎖膜の変形が規制されるのでスリットの端部から亀裂が発生し難く、また、例え亀裂が発生しても、土手状部が閉鎖膜の裏面部分のスリットの延長位置に突出形成されていることにより、亀裂の範囲が肉厚の厚い土手状部までに規制されるので、使用を重ねてもスリット端部から発生する亀裂が広がらず、長期間にわたって使用を続けることができる優れた耐久性を得ることができる。
【発明を実施するための最良の形態】
【０００８】
処置具等がスリットに押し込まれたときにその影響で変形することのない非変形部を閉鎖膜の裏面から離れた奥側の位置に配置し、処置具等が閉鎖膜の表面側からスリットに押し込まれて閉鎖膜が裏面側に膨らんだ状態に弾性変形した時に非変形部に当接する土手状部を、閉鎖膜の裏面部分のスリットの両端の延長位置に各々突出形成する。
【実施例】
【０００９】
図面を参照して本発明の実施例を説明する。
図２において、１は、可撓管によって外装された内視鏡挿入部であり、その基端が内視鏡操作部２の下端に連結されている。
【００１０】
内視鏡挿入部１内に挿通配置された処置具挿通チャンネル３の先端は内視鏡挿入部１の先端において外部に開口し、処置具挿通チャンネル３の入口部分に配置された鉗子栓１０が、内視鏡操作部２の下端部分から斜め上方に突出する状態に配置されている。５０は、処置具類等と同様にして鉗子栓１０に差し込まれる注射筒である。
【００１１】
図１は、処置具挿通チャンネル３の入口端部に設けられた入口口金３０に対して着脱自在に取り付けられた鉗子栓１０を示しており、鉗子栓１０は、弾力性のあるゴム材等によって形成された樽状部材１１に、やはり弾力性のあるゴム材等によって形成された蓋状部材１２を着脱自在に取り付けて構成されている。
【００１２】
樽状部材１１は、その内周部分に突設された弾性突起部１３が入口口金３０の口元近傍に形成された円周溝部３２に嵌め込まれており、弾性突起部１３の周辺を弾性変形させて円周溝部３２に係脱させることにより、樽状部材１１を入口口金３０に対して着脱することができる。
【００１３】
樽状部材１１には、中心に小孔１５が形成された補助閉鎖膜１４が、入口口金３０の開口に対向する位置に形成されており、処置具挿通チャンネル３内に挿脱される処置具がそこを通過すると、小孔１５が処置具により弾力的に押し広げられて処置具の外周面に密着し、処置具挿通チャンネル３内と外部との間がシールされる。注射筒５０から噴射される液体等はそのまま小孔１５を通過する。
【００１４】
蓋状部材１２の中央には、樽状部材１１の開口部に外方から着脱自在な嵌め込み部が突出形成され、その嵌め込み部を外輪山状に囲む環状部分の内面に形成された鍔部２４が、樽状部材１１の口元側外周部に形成された円周溝１７に対して係脱自在になっている。
【００１５】
そして、蓋状部材１２側を弾力的に変形させて図１に示されるように鍔部２４を円周溝１７に係合させれば、蓋状部材１２が樽状部材１１の開口部に係止された状態になり、鍔部２４を弾性変形させて円周溝１７から外すことにより、蓋状部材１２を樽状部材１１の開口部から外すことができる。
【００１６】
蓋状部材１２には薄くて細長い帯状部材２２が一体成形されて延出形成されており、その帯状部材２２の他端部には樽状部材１１に係脱する環状部２３が一体成形されて形成されている。そして、その環状部２３が係合する円周溝２０が樽状部材１１の外周に形成されている。
【００１７】
蓋状部材１２の嵌め込み部の底部分は閉鎖膜２６になっていて、その中央に「−」状のスリット２７が形成されている。スリット２７は、通常は自己の弾力性によって閉じた状態を維持して処置具挿通チャンネル３内と外部との間をシールしており、処置具挿通チャンネル３に挿脱される処置具等によって弾力的に押し開かれる。
【００１８】
樽状部材１１内の閉鎖膜２６の裏面に対向する位置には、処置具等が外方からスリット２７に押し込まれたときにその影響で変形することのない非変形部２５が、閉鎖膜２６の裏面から離れた奥側の位置に形成されていて、閉鎖膜２６の裏面と非変形部２５との間の空間が、閉鎖膜２６が弾性変形して裏面側に膨らむための空間になっている。
【００１９】
そして、閉鎖膜２６の裏面には、その部分を図示する図３にも示されるように、処置具等が閉鎖膜２６の表面側からスリット２７に押し込まれて閉鎖膜２６が裏面側に膨らんだ状態に弾性変形した時に非変形部２５に当接する（処置具等が押し込まれていない状態では当接しない）土手状部２８が、スリット２７の両端の延長位置に各々突出形成されている。
【００２０】
その結果、図４に示されるように、注射筒５０や処置具等が閉鎖膜２６の表面側からスリット２７に押し込まれて閉鎖膜２６が裏面側に膨らんだ状態に弾性変形すると、土手状部２８が非変形部２５に当接してそれ以上の閉鎖膜２６の変形が規制されるので、スリット２７の端部から亀裂が発生し難い。
【００２１】
また、図５に示されるように、例えスリット２７の端部から亀裂２７′が発生しても、土手状部２８がスリット２７の延長位置に突出形成されていて閉鎖膜２６の肉厚がその部分では厚くなっていることにより亀裂２７′の範囲が土手状部２８までに規制され、使用を重ねてもスリット２７の端部から発生する亀裂２７′が大きく広がらない。
【００２２】
また、土手状部位２８が樽状部材１１の上端面の非変形部２５に当接することにより、スリット２７に差し込まれた処置具等が傾かずにその奥の小孔１５方向に案内されるので良好な挿入操作性が得られる。
【００２３】
なお、本発明は上記実施例に限定されるものではなく、例えば土手状部２８は、図６に示されるようにスリット２７の両端部を各々Ｕ字状に囲む状態に突出形成してもよく、或いは図７に示されるように、スリット２７を全体的に囲む環状に突出形成してもよい。
【図面の簡単な説明】
【００２４】
【図１】本発明の実施例の内視鏡の鉗子栓の側面断面図である。
【図２】本発明の実施例の内視鏡の側面図である。
【図３】本発明の実施例の内視鏡の鉗子栓の閉鎖膜の裏面部分を示す斜視図である。
【図４】本発明の実施例の内視鏡の鉗子栓に注射筒が差し込まれた状態の側面断面図である。
【図５】本発明の実施例の内視鏡の鉗子栓の閉鎖膜の裏面に亀裂が生じた状態の底面図である。
【図６】本発明の第２の実施例の内視鏡の鉗子栓の閉鎖膜の底面図である。
【図７】本発明の第３の実施例の内視鏡の鉗子栓の閉鎖膜の底面図である。
【符号の説明】
【００２５】
１０  鉗子栓
２５  非変形部
２６  閉鎖膜
２７  スリット
２７′  亀裂
２８  土手状部
５０  注射筒（処置具等）
【図１】
2005080867.tif 000003
【図２】
2005080867.tif 000004
【図３】
2005080867.tif 000005
【図４】
2005080867.tif 000006
【図５】
2005080867.tif 000007
【図６】
2005080867.tif 000008
【図７】
2005080867.tif 000009